(57)【要約】【課題】リモコン本体の共用化と高いデザイン性とを両立させたリモコン装置を提供する。【解決手段】外表面に設けられた凹部を有するリモコン本体と、前記凹部内に設けられ、前記リモコン本体に対する操作を検出するためのスイッチと、前記スイッチを操作するための操作部、及び前記スイッチの操作を不能にするカバーのいずれか一方を磁力によって吸着保持する、前記凹部内に設けられた磁性体と、を備え、前記操作部及び前記カバーのいずれか一方は、前記磁性体に吸着保持された状態において、前記スイッチを覆うことを特徴とするリモコン装置である。【選択図】図１
2019062325.tif 000002
【特許請求の範囲】
【請求項１】
外表面に設けられた凹部を有するリモコン本体と、
前記凹部内に設けられ、前記リモコン本体に対する操作を検出するためのスイッチと、
前記スイッチを操作するための操作部、及び前記スイッチの操作を不能にするカバーのいずれか一方を磁力によって吸着保持する、前記凹部内に設けられた磁性体と、
を備え、
前記操作部及び前記カバーのいずれか一方は、前記磁性体に吸着保持された状態において、前記スイッチを覆うことを特徴とするリモコン装置。
【請求項２】
前記操作部は、
前記磁性体に吸着保持される固定部と、
前記固定部に移動可能に設けられた非磁性の可動部と、
を有し、
前記スイッチは、前記可動部の移動を検出することにより、前記リモコン本体に対する操作を検出することを特徴とする請求項１記載のリモコン装置。
【請求項３】
前記固定部は、磁石を有し、
前記磁性体は、前記磁石を介して前記固定部を吸着保持し、
前記磁性体の磁力は、前記磁石の磁力よりも弱いことを特徴とする請求項２記載のリモコン装置。
【請求項４】
前記リモコン本体は、ハンガーに取り付け可能であり、
前記ハンガーは、前記リモコン本体を吸着保持するための磁石を有し、
前記操作部及び前記カバーのいずれか一方を前記ハンガーの前記磁石に向けた状態において、前記磁性体が前記操作部及び前記カバーのいずれか一方に与える磁力は、前記ハンガーの前記磁石が前記操作部及び前記カバーのいずれか一方に与える磁力よりも小さいことを特徴とする請求項１〜３のいずれか１つに記載のリモコン装置。
【請求項５】
前記ハンガーの前記磁石は、前記操作部及び前記カバーのいずれか一方又は前記磁性体を介して前記リモコン本体を吸着保持することを特徴とする請求項４記載のリモコン装置。
【発明の詳細な説明】
【技術分野】
【０００１】
本発明の態様は、一般的に、リモコン装置に関する。
【背景技術】
【０００２】
電子機器を遠隔操作するリモコン装置において、電子機器の機能の有無などに応じて、スイッチの操作を可能にする操作部を取り付けたり、反対にスイッチを覆ってスイッチの操作を不能にするカバーを取り付けたりすることにより、電子機器の複数の機種などにリモコン本体を共通に使用できるようにすることが行われている（例えば、特許文献１）。このように、リモコン本体を共用化することにより、例えば、品番を削減したり、在庫を削減したりすることが可能となり、リモコン装置の製造コストの削減を図ることができる。
【０００３】
また、リモコン装置では、高いデザイン性も要望されている。このため、隙間や段差などを極力少なくしたスッキリとしたデザインとすることが検討されている。例えば、壁掛けタイプのリモコン装置などでは、操作部やカバーなどの着脱構造をリモコン本体の背面側に設けることで、リモコン本体の共用化を図りつつ、着脱構造などが通常使用状態において使用者などに視認されてしまうことを抑制することができる。すなわち、リモコン本体の共用化と高いデザイン性との両立を図ることができる。
【０００４】
一方で、スタイリッシュなデザインが求められる中、近年では、使用者が手に取って操作を行うハンディタイプのリモコン装置が要望されることも多くなってきている。ハンディタイプのリモコン装置の場合、手に取って操作を行うため、リモコン装置を３６０°視認できる状態となる。また、スタイリッシュなデザインを実現するため、リモコン装置の正面は、スッキリとシンプルに仕上げ、入りきらない機能のスイッチなどをリモコン装置の背面に配置することも多い。
【０００５】
このように、ハンディタイプのリモコン装置では、装置全体を外観と考える必要がある。このため、ハンディタイプのリモコン装置において、リモコン本体を共用化しようとした場合には、操作部やカバーなどの着脱機構が外部に露出してしまい、リモコン本体の共用化とデザイン性との両立が難しい。
【０００６】
従って、リモコン装置では、操作部やカバーなどを着脱可能とし、リモコン本体を共用化する場合にも、操作部やカバーなどの着脱機構が装置全体に亘って外観に露出しないようにすることにより、リモコン本体の共用化と高いデザイン性との両立を図ることが望まれる。
【先行技術文献】
【特許文献】
【０００７】
【特許文献１】発明協会公開技報公技番号２０１２―５００４７６号
【発明の概要】
【発明が解決しようとする課題】
【０００８】
本発明は、かかる課題の認識に基づいてなされたものであり、操作部やカバーなどを着脱可能とし、リモコン本体を共用化する場合にも、操作部やカバーなどの着脱機構が装置全体に亘って外観に露出しないようにすることにより、リモコン本体の共用化と高いデザイン性とを両立させたリモコン装置を提供することを目的とする。
【課題を解決するための手段】
【０００９】
第１の発明は、外表面に設けられた凹部を有するリモコン本体と、前記凹部内に設けられ、前記リモコン本体に対する操作を検出するためのスイッチと、前記スイッチを操作するための操作部、及び前記スイッチの操作を不能にするカバーのいずれか一方を磁力によって吸着保持する、前記凹部内に設けられた磁性体と、を備え、前記操作部及び前記カバーのいずれか一方は、前記磁性体に吸着保持された状態において、前記スイッチを覆うことを特徴とするリモコン装置である。
【００１０】
このリモコン装置によれば、操作部及びカバーのいずれか一方を磁力によって吸着保持し、操作部及びカバーのいずれか一方によってスイッチを覆う。これにより、操作部やカバーなどを磁力によって着脱可能とし、リモコン本体を共用化できるようにした場合にも、着脱機構などが外観に露出してしまうことを装置全体に亘って抑制することができる。従って、リモコン本体の共用化と高いデザイン性との両立を図ることができる。
【００１１】
第２の発明は、第１の発明において、前記操作部は、前記磁性体に吸着保持される固定部と、前記固定部に移動可能に設けられた非磁性の可動部と、を有し、前記スイッチは、前記可動部の移動を検出することにより、前記リモコン本体に対する操作を検出することを特徴とするリモコン装置である。
【００１２】
このリモコン装置によれば、可動部が磁力の影響を受けて可動し難くなってしまうことを抑制することができる。
【００１３】
第３の発明は、第２の発明において、前記固定部は、磁石を有し、前記磁性体は、前記磁石を介して前記固定部を吸着保持し、前記磁性体の磁力は、前記磁石の磁力よりも弱いことを特徴とするリモコン装置である。
【００１４】
このリモコン装置によれば、リモコン本体への磁力の影響を軽減することができる。例えば、磁性体や磁石の磁力によってリモコン本体が誤動作を起こしてしまうことなどを抑制することできる。
【００１５】
第４の発明は、第１〜第３のいずれか１つの発明において、前記リモコン本体は、ハンガーに取り付け可能であり、前記ハンガーは、前記リモコン本体を吸着保持するための磁石を有し、前記操作部及び前記カバーのいずれか一方を前記ハンガーの前記磁石に向けた状態において、前記磁性体が前記操作部及び前記カバーのいずれか一方に与える磁力は、前記ハンガーの前記磁石が前記操作部及び前記カバーのいずれか一方に与える磁力よりも小さいことを特徴とするリモコン装置である。
【００１６】
このリモコン装置によれば、ハンガーの磁石の磁力により、リモコン本体をハンガーに対してスムーズに取り外しすることができる。また、操作部及びカバーのいずれか一方をハンガーの磁石を利用して取り外すことができる。従って、操作部やカバーを取り外すための専用の磁石や工具などを用意する必要がなく、リモコン装置の利便性を向上させることができる。
【００１７】
第５の発明は、第４の発明おいて、前記ハンガーの前記磁石は、前記操作部及び前記カバーのいずれか一方又は前記磁性体を介して前記リモコン本体を吸着保持することを特徴とするリモコン装置である。
【００１８】
このリモコン装置によれば、ハンガーの磁石に吸着させるための磁性体をリモコン本体、操作部、及びカバーに別途設ける必要がなく、リモコン装置の部品点数の削減を図ることができる。
【発明の効果】
【００１９】
本発明の態様によれば、操作部やカバーなどを着脱可能とし、リモコン本体を共用化する場合にも、操作部やカバーなどの着脱機構が装置全体に亘って外観に露出しないようにすることにより、リモコン本体の共用化と高いデザイン性とを両立させたリモコン装置が提供される。
【図面の簡単な説明】
【００２０】
【図１】図１（ａ）及び図１（ｂ）は、実施形態に係るリモコン装置を表す正面図及び背面図である。
【図２】図２（ａ）〜図２（ｄ）は、実施形態に係るリモコン装置を表す上面図である。
【図３】実施形態に係るリモコン装置の一部を表す断面斜視図である。
【図４】実施形態に係るリモコン装置の一部を表す分解斜視図である。
【図５】実施形態に係るリモコン装置の一部を表す断面斜視図である。
【図６】図６（ａ）及び図６（ｂ）は、実施形態に係るリモコン装置を表す断面図である。
【図７】図７（ａ）及び図７（ｂ）は、実施形態に係るリモコン装置の変形例を表す断面図である。
【発明を実施するための形態】
【００２１】
以下、本発明の実施の形態について図面を参照しつつ説明する。なお、各図面中、同様の構成要素には同一の符号を付して詳細な説明は適宜省略する。  
図１（ａ）及び図１（ｂ）は、実施形態に係るリモコン装置を表す正面図及び背面図である。  
図１（ａ）及び図１（ｂ）に表したように、リモコン装置１０は、リモコン本体１２を備える。リモコン装置１０は、使用者が手に取って操作を行うハンディタイプのリモコン装置である。リモコン本体１２は、縦長な棒状の外形形状を有する。これにより、リモコン本体１２を使用者に握り易くし、操作をし易くすることができる。但し、リモコン本体１２の外形形状は、縦長な棒状に限ることなく、例えば、横長な棒状や矩形のパネル状などでもよい。リモコン本体１２の外形形状は、使用者が手に取って操作し易い任意の形状でよい。
【００２２】
リモコン装置１０は、トイレルームに設置して使用され、使用者の操作に応じて衛生洗浄装置（図示は省略）に所定の操作指示を入力する。衛生洗浄装置は、洋式腰掛便器の上に設けられ、便座に座った使用者の「おしり」などを洗浄する身体洗浄機能を有する。衛生洗浄装置は、リモコン装置１０からの操作指示に応じて身体洗浄機能の実行や身体洗浄機能の停止などを制御する。但し、リモコン装置１０は、衛生洗浄装置用のリモコン装置に限ることなく、任意の電子機器のリモコン装置でよい。以下では、衛生洗浄装置を例に説明を行う。
【００２３】
図１（ａ）に表したように、リモコン本体１２の前面１２ａには、停止ボタン２０、おしり洗浄ボタン２１、ビデ洗浄ボタン２２、乾燥ボタン２３、ムーブボタン２４、マッサージボタン２５、ノズル洗浄ボタン２６、水勢調整ボタン２７ａ、２７ｂ、ノズル位置調整ボタン２８ａ、２８ｂ、ユーザ切替ボタン２９ａ、２９ｂなどの複数の操作ボタンが設けられている。
【００２４】
停止ボタン２０は、おしり洗浄機能などの停止を衛生洗浄装置に指示するためのボタンである。おしり洗浄ボタン２１は、おしり洗浄機能の実行を衛生洗浄装置に指示するためのボタンである。ビデ洗浄ボタン２２は、ビデ洗浄機能の実行を衛生洗浄装置に指示するためのボタンである。乾燥ボタン２３は、局部乾燥機能の実行を衛生洗浄装置に指示するためのボタンである。ムーブボタン２４は、ノズルムーブ機能の実行を衛生洗浄装置に指示するためのボタンである。マッサージボタン２５は、マッサージ洗浄機能の実行を衛生洗浄装置に指示するためのボタンである。ノズル洗浄ボタン２６は、ノズル洗浄機能の実行を衛生洗浄装置に指示するためのボタンである。水勢調整ボタン２７ａ、２７ｂは、洗浄水の勢いの調整を衛生洗浄装置に指示するためのボタンである。ノズル位置調整ボタン２８ａ、２８ｂは、ノズルの前後位置の調整を衛生洗浄装置に指示するためのボタンである。ユーザ切替ボタン２９ａ、２９ｂは、予め登録されたユーザの設定の読み出しを衛生洗浄装置に指示するためのボタンである。
【００２５】
図１（ｂ）に表したように、リモコン本体１２の背面１２ｂには、液晶パネル３０、操作ボタン３１、電源ボタン３２などが設けられている。液晶パネル３０は、種々の設定項目などを表示する。操作ボタン３１は、液晶パネル３０に表示された各種の設定項目を設定可能とし、設定項目の情報を衛生洗浄装置に入力するための操作部材である。電源ボタン３２は、衛生洗浄装置の運転のオン・オフを切り替えるためのボタンである。
【００２６】
図２（ａ）〜図２（ｄ）は、実施形態に係るリモコン装置を表す上面図である。  
図２（ａ）〜図２（ｄ）に表したように、リモコン本体１２の上端部１２ｃには、操作部１４ａ〜１４ｃ、及びカバー１６のいずれかが取り付けられる。操作部１４ａ〜１４ｃ、及びカバー１６は、リモコン本体１２に着脱可能に取り付けられる。すなわち、操作部１４ａ〜１４ｃ、及びカバー１６は、交換可能である。
【００２７】
図２（ａ）に表したように、操作部１４ａは、便座開閉ボタン４１と、大洗浄ボタン４２と、小洗浄ボタン４３と、を有する。便座開閉ボタン４１は、便座開閉機能の実行を衛生洗浄装置に指示するためのボタンである。大洗浄ボタン４２は、大容量の便器洗浄の実行を衛生洗浄装置に指示するためのボタンである。小洗浄ボタン４３は、小容量の便器洗浄の実行を衛生洗浄装置に指示するためのボタンである。
【００２８】
図２（ｂ）に表したように、操作部１４ｂは、便座開閉ボタン４１と、大洗浄ボタン４２と、カバー４４と、を有する。操作部１４ｂは、小洗浄ボタン４３の部分を、カバー４４に置き換えることにより、小洗浄ボタン４３の操作を不能にしている。
【００２９】
図２（ｃ）に表したように、操作部１４ｃは、便座開閉ボタン４１と、カバー４４、４５と、を有する。操作部１４ｃは、小洗浄ボタン４３の部分を、カバー４４に置き換えるとともに、大洗浄ボタン４２の部分を、カバー４５に置き換えることにより、大洗浄ボタン４２及び小洗浄ボタン４３の操作を不能にしている。
【００３０】
図２（ｄ）に表したように、カバー１６は、便座開閉ボタン４１、大洗浄ボタン４２、及び小洗浄ボタン４３のそれぞれの機能を不能にする。
【００３１】
リモコン装置１０では、操作部１４ａ〜１４ｃ、及びカバー１６のいずれかを選択的にリモコン本体１２に取り付けることで、機種などが異なる複数の衛生洗浄装置に対応することができる。
【００３２】
例えば、便座開閉機能、大洗浄機能、及び小洗浄機能のいずれも有する衛生洗浄装置に対しては、リモコン本体１２に操作部１４ａが取り付けられる。便座開閉機能及び大洗浄機能のみを有する衛生洗浄装置に対しては、リモコン本体１２に操作部１４ｂが取り付けられる。便座開閉機能のみを有する衛生洗浄装置に対しては、リモコン本体１２に操作部１４ｃが取り付けられる。そして、各機能のいずれも有しない衛生洗浄装置に対しては、リモコン本体１２にカバー１６が取り付けられる。
【００３３】
また、衛生洗浄装置においては、便座開閉機能のみを有する衛生洗浄装置に便器洗浄機能が追加される場合もある。このような場合には、リモコン本体１２に取り付けられた操作部１４ｃが、操作部１４ａ又は操作部１４ｂに付け替えられる。
【００３４】
このように、リモコン装置１０では、複数の機種の衛生洗浄装置に対してリモコン本体１２を共通に用いることができる。また、リモコン装置１０では、衛生洗浄装置の機能の追加などにも柔軟に対応することができる。
【００３５】
例えば、停止ボタン２０やおしり洗浄ボタン２１など、各機種に共通に用いられるボタンは、リモコン本体１２の前面や背面などに設けられる。そして、便座開閉ボタン４１、大洗浄ボタン４２、小洗浄ボタン４３など、機種によって変化するボタンは、各操作部１４ａ〜１４ｃに設けられる。これにより、複数の機種の衛生洗浄装置などに対して、リモコン本体１２を共通に用いることができる。例えば、リモコン装置１０の品番を削減したり、在庫を削減したりすることが可能となり、リモコン装置１０の製造コストの削減や納期の改善などを図ることができる。例えば、品番が少なくなることにより、色々なリモコンを作る必要が無くなる。これにより、製造期間を短くすることができる。
【００３６】
なお、各操作部１４ａ〜１４ｃに設けられるボタンの数は、３つに限ることなく、１つ又は２つでもよいし、４つ以上でもよい。また、リモコン本体１２及び各操作部１４ａ〜１４ｃに割り当てられるボタンの種別は、上記に限ることなく、任意の機能のボタンでよい。
【００３７】
図３は、実施形態に係るリモコン装置の一部を表す断面斜視図である。  
図４は、実施形態に係るリモコン装置の一部を表す分解斜視図である。  
図３及び図４に表したように、リモコン装置１０は、スイッチ５１〜５３と、磁性体５４と、をさらに備える。なお、図３では、リモコン本体１２に操作部１４ａを取り付けた状態を表している。図４では、リモコン本体１２から操作部１４ａを取り外した状態を表している。但し、図３及び図４においては、各ボタン４１〜４３のピクトグラムの図示を便宜的に省略している。
【００３８】
リモコン本体１２は、外表面に設けられた凹部１２ｖを有する。凹部１２ｖは、リモコン本体１２の上端部１２ｃに設けられている。換言すれば、凹部１２ｖは、リモコン本体１２の上面に設けられている。凹部１２ｖは、例えば、リモコン本体１２の上端部１２ｃから下方に凹んだ部分である。凹部１２ｖの位置は、リモコン本体１２の上端部１２ｃに限ることなく、側端部や下端部など、リモコン本体１２の任意の位置でよい。
【００３９】
スイッチ５１〜５３は、凹部１２ｖ内に設けられ、リモコン本体１２に対する操作を検出する。スイッチ５１〜５３は、例えば、可動部の上下動に応じて接点のオン・オフを切り替えることにより、操作の検出を行う機械式のスイッチである。スイッチ５１〜５３は、例えば、タクトスイッチやメンブレンスイッチなどである。すなわち、スイッチ５１〜５３は、リモコン本体１２に対する押圧操作を検出する。スイッチ５１〜５３は、機械式のスイッチに限ることなく、例えば、フォトインタラプタなどの光学式のスイッチや、ホール素子などの磁気式のスイッチなど、リモコン本体１２に対する所定の操作を検出可能な任意のスイッチでよい。
【００４０】
この例において、リモコン装置１０は、上記の便座開閉機能、大洗浄機能、及び小洗浄機能に対応する３つのスイッチ５１〜５３を有している。例えば、スイッチ５１は、便座開閉ボタン４１の操作を検出し、スイッチ５２は、大洗浄ボタン４２の操作を検出し、スイッチ５３は、小洗浄ボタン４３の操作を検出する。すなわち、各操作部１４ａ〜１４ｃは、スイッチ５１〜５３の操作を行うための部材である。一方、カバー１６は、スイッチ５１〜５３の操作を不能にする。換言すれば、カバー１６は、スイッチ５１〜５３による操作の検出を不能にする。
【００４１】
このように、リモコン装置１０では、各操作部１４ａ〜１４ｃ及びカバー１６を選択的にリモコン本体１２に取り付け、リモコン本体１２に予め設けられたスイッチ５１〜５３を有効とするか無効とするかを切り替えることにより、複数の機種の衛生洗浄装置や衛生洗浄装置の機能の追加などに対応可能とする。
【００４２】
リモコン装置１０に設けられるスイッチの数は、３つに限ることなく、１つ又は２つでもよいし、４つ以上でもよい。各操作部１４ａ〜１４ｃに設けられるボタンの数は、スイッチの数に応じて設定すればよい。
【００４３】
磁性体５４は、凹部１２ｖ内に設けられる。磁性体５４は、各操作部１４ａ〜１４ｃ及びカバー１６のいずれかを磁力によって吸着保持する。各操作部１４ａ〜１４ｃ及びカバー１６のいずれかは、磁性体５４に吸着保持された状態において、スイッチ５１〜５３を覆う。換言すれば、磁性体５４は、各操作部１４ａ〜１４ｃ及びカバー１６のいずれかによってスイッチ５１〜５３を覆うように、各操作部１４ａ〜１４ｃ及びカバー１６のいずれかを吸着保持する。
【００４４】
各操作部１４ａ〜１４ｃ及びカバー１６のいずれかは、例えば、磁性体５４に吸着保持された状態において、スイッチ５１〜５３の上方を覆う。各操作部１４ａ〜１４ｃ及びカバー１６は、例えば、磁性体５４に吸着保持された際に、凹部１２ｖの開口する方向からスイッチ５１〜５３を覆うことにより、使用者などからのスイッチ５１〜５３の視認を抑制する。換言すれば、各操作部１４ａ〜１４ｃ及びカバー１６は、磁性体５４に吸着保持された状態において、凹部１２ｖの少なくとも一部を塞ぐ。各操作部１４ａ〜１４ｃ及びカバー１６は、例えば、磁性体５４に吸着保持された状態において、凹部１２ｖの略全体を覆う。凹部１２ｖの略全体を覆うとは、例えば、凹部１２ｖの開口と対面して凹部１２ｖを見た状態（上方から見た状態）において、各操作部１４ａ〜１４ｃ及びカバー１６のいずれかと凹部１２ｖとの間に空く隙間が、２ｍｍ以下であることをいう。
【００４５】
これにより、各操作部１４ａ〜１４ｃ及びカバー１６を着脱可能とした場合にも、これらの着脱機構などが外部に露出してしまうことを抑制することができる。従って、リモコン装置１０において高いデザイン性を得ることができる。リモコン装置１０は、例えば、複数の磁性体５４を有する。但し、磁性体５４の数は、１つでもよい。
【００４６】
磁性体５４によって吸着保持された各操作部１４ａ〜１４ｃ及びカバー１６のいずれかは、リモコン本体１２の上端部１２ｃと略面一になる。これにより、リモコン装置１０のデザイン性をより向上させることができる。
【００４７】
操作部１４ａは、固定部６０と、可動部６１〜６３と、を有する。固定部６０は、磁性体５４に吸着保持される。可動部６１〜６３は、固定部６０に移動可能に設けられている。可動部６１〜６３は、例えば、凹部１２ｖの開口する方向に移動する。この例では、凹部１２ｖが上方を向いて開口しており、可動部６１〜６３は、上下方向に移動可能に固定部６０に設けられている。
【００４８】
すなわち、可動部６１〜６３は、押しボタン状である。この例では、可動部６１が便座開閉ボタン４１として機能し、可動部６２が大洗浄ボタン４２として機能し、可動部６３が小洗浄ボタン４３として機能する。各可動部６１〜６３は、各スイッチ５１〜５３に対応して設けられる。スイッチの数が１つである場合には、可動部の数も１つでよい。
【００４９】
可動部６１は、スイッチ５１の上方に配置される。可動部６１は、スイッチ５１に向かって下方に延びる棒状の突起６１ａを有する。可動部６１は、押圧操作されていない状態において、突起６１ａの下端をスイッチ５１に当接させることにより、固定部６０から僅かに上方に浮いた状態で保持される。また、この際、可動部６１は、図示を省略した抜け止め機構により、固定部６０から上方に抜けてしまうことが抑制されている。この状態において可動部６１が押圧操作されると、可動部６１が固定部６０に当接するまで下方に移動し、スイッチ５１が押圧される。
【００５０】
これにより、リモコン本体１２に対する押圧操作が、スイッチ５１によって検出される。このように、操作部１４ａは、リモコン本体１２に対する操作を可動部６１を介してスイッチ５１に伝達することにより、スイッチ５１による操作の検出を可能にする。可動部６１は、例えば、押圧操作の操作力をスイッチ５１に伝達する。
【００５１】
押圧操作が解除されると、可動部６１は、スイッチ５１の弾性力により、初期の位置に戻る。このように、スイッチ５１は、可動部６１の移動を検出することにより、リモコン本体１２に対する操作を検出する。
【００５２】
可動部６２は、スイッチ５２に向かって下方に延びる棒状の突起６２ａを有する。可動部６３は、スイッチ５３に向かって下方に延びる棒状の突起６３ａを有する。可動部６２、６３、及びスイッチ５２、５３の構成は、可動部６１及びスイッチ５１の構成と実質的に同じであるから、詳細な説明は省略する。なお、可動部６１〜６３は、押しボタン状に限ることなく、例えば、スライドスイッチ状、ロータリスイッチ状、トグルスイッチ状などでもよい。可動部６１〜６３の移動方向は、任意の方向でよい。可動部６１〜６３の構成は、使用者による操作が可能な任意の構成でよい。スイッチ５１〜５３の構成は、可動部６１〜６３の移動を検出可能な任意の構成でよい。
【００５３】
可動部６１〜６３は、非磁性である。可動部６１〜６３には、例えば、プラスチックなどの非磁性の材料が用いられる。従って、可動部６１〜６３は、磁性体５４などに吸着されない。
【００５４】
固定部６０は、磁石６６を有する。固定部６０は、例えば、複数の磁性体５４のそれぞれに対応する２つの磁石６６を有する。各磁石６６のそれぞれは、例えば、各磁性体５４のそれぞれと対向して配置される。各磁性体５４は、各磁石６６を介して固定部６０を吸着保持する。
【００５５】
各磁性体５４の磁力は、各磁石６６の磁力よりも弱い。各磁性体５４には、例えば、各磁石６６に吸着する性質を有する金属材料が用いられる。各磁性体５４は、例えば、金属板である。各磁性体５４は、例えば、周囲に磁石などが無い状態において、実質的に磁化しておらず、各磁石６６が接近した場合に磁化する金属板などでもよい。各磁性体５４は、例えば、各磁石６６よりも磁力の弱い磁石などでもよい。
【００５６】
図３及び図４に表したように、リモコン本体１２は、例えば、発光素子３４を有する。発光素子３４は、例えば、各操作部１４ａ〜１４ｃの隙間などから外側に向けて光を照射することにより、リモコン装置１０のデザイン性を向上させる。発光素子３４は、必要に応じて設けられ、省略可能である。
【００５７】
図５は、実施形態に係るリモコン装置の一部を表す断面斜視図である。  
図５では、リモコン本体１２にカバー１６を取り付けた状態を表している。図５に表したように、カバー１６は、操作部１４ａと同様に、磁石６６を有し、磁石６６を介して磁性体５４に吸着保持される。
【００５８】
カバー１６は、可動部６１〜６３などを有しない。カバー１６は、各スイッチ５１〜５３を覆い、リモコン本体１２に対する操作の各スイッチ５１〜５３への伝達を阻害する。カバー１６は、押圧操作の操作力が各スイッチ５１〜５３に伝達されないようにする。これにより、カバー１６は、各スイッチ５１〜５３による操作の検出を不能にする。
【００５９】
操作部１４ｂ及び操作部１４ｃの構成は、可動部６２、６３が上下動しないカバー４４、４５に置き換えられている点を除いて操作部１４ａの構成と同様であるから、詳細な説明は、省略する。
【００６０】
図６（ａ）及び図６（ｂ）は、実施形態に係るリモコン装置を表す断面図である。
図６（ａ）及び図６（ｂ）に表したように、リモコン本体１２は、ハンガー７０に取り付け可能である。ハンガー７０は、リモコン本体１２を吸着保持するための磁石７２を有する。リモコン本体１２は、磁性体７４を有する。磁性体７４は、リモコン本体１２をハンガー７０に取り付けた状態において、ハンガー７０の磁石７２と対向する位置に設けられている。リモコン本体１２は、例えば、下端部をハンガー７０の上に載置した状態で、磁性体７４を磁石７２に吸着させることにより、図６（ａ）に表したように、ハンガー７０に取り付けられる。なお、磁性体７４は、磁石でもよいし、金属板などでもよい。
【００６１】
リモコン本体１２に取り付けられた各操作部１４ａ〜１４ｃ及びカバー１６のいずれかを取り外す場合には、図６（ｂ）に表したように、各操作部１４ａ〜１４ｃ及びカバー１６のいずれかを、ハンガー７０の磁石７２に向ける。例えば、各操作部１４ａ〜１４ｃ及びカバー１６のいずれかを、ハンガー７０の磁石７２に向け、各操作部１４ａ〜１４ｃ及びカバー１６のいずれかを、ハンガー７０に当接させる。この状態において、磁性体５４が各操作部１４ａ〜１４ｃ及びカバー１６のいずれかに与える磁力は、ハンガー７０の磁石７２が各操作部１４ａ〜１４ｃ及びカバー１６のいずれかに与える磁力よりも小さい。この例において、磁性体５４と磁石６６との吸着力は、磁石６６と磁石７２との吸着力よりも小さい。
【００６２】
各操作部１４ａ〜１４ｃ及びカバー１６のいずれかを、ハンガー７０の磁石７２に向けた状態からリモコン本体１２を手前に引く。これにより、各操作部１４ａ〜１４ｃ及びカバー１６のいずれかは、磁石７２に吸着されてハンガー７０に保持された状態となり、各操作部１４ａ〜１４ｃ及びカバー１６のいずれかをリモコン本体１２から取り外すことができる。
【００６３】
以上、説明したように、本実施形態に係るリモコン装置１０では、各操作部１４ａ〜１４ｃ及びカバー１６のいずれかを磁力によって吸着保持し、各操作部１４ａ〜１４ｃ及びカバー１６のいずれかによって凹部１２ｖを塞ぐ。これにより、各操作部１４ａ〜１４ｃ及びカバー１６などを磁力によって着脱可能とし、リモコン本体１２を共用化できるようにした場合にも、着脱機構などが外観に露出してしまうことを装置全体に亘って抑制することができる。従って、リモコン本体１２の共用化と高いデザイン性との両立を図ることができる。
【００６４】
また、リモコン装置１０では、操作部１４ａが、磁性体５４に吸着保持される固定部６０と、固定部６０に移動可能に設けられた非磁性の可動部６１〜６３と、を有する。これにより、可動部６１〜６３が磁力の影響を受けて可動し難くなってしまうことを抑制することができる。
【００６５】
また、リモコン装置１０では、固定部６０が、磁石６６を有し、磁性体５４は、磁石６６を介して固定部６０を吸着保持し、磁性体５４の磁力が、磁石６６の磁力よりも弱い。これにより、リモコン本体１２への磁力の影響を軽減することができる。例えば、磁性体５４や磁石６６の磁力によってリモコン本体１２が誤動作を起こしてしまうことなどを抑制することできる。
【００６６】
また、リモコン装置１０では、リモコン本体１２が、ハンガー７０に取り付け可能であり、ハンガー７０が、リモコン本体１２を吸着保持するための磁石７２を有し、各操作部１４ａ〜１４ｃ及びカバー１６のいずれかをハンガー７０の磁石７２に向けた状態において、磁性体５４が各操作部１４ａ〜１４ｃ及びカバー１６のいずれかに与える磁力が、ハンガー７０の磁石７２が各操作部１４ａ〜１４ｃ及びカバー１６のいずれかに与える磁力よりも小さい。
【００６７】
これにより、ハンガー７０の磁石７２の磁力により、リモコン本体１２をハンガー７０に対してスムーズに取り外しすることができる。また、各操作部１４ａ〜１４ｃ及びカバー１６のいずれかをハンガー７０の磁石７２を利用して取り外すことができる。従って、操作部１４ａ〜１４ｃやカバー１６を取り外すための専用の磁石や工具などを用意する必要がなく、リモコン装置１０の利便性を向上させることができる。
【００６８】
上記実施形態では、各操作部１４ａ〜１４ｃ及びカバー１６に磁石６６を設け、磁石６６を磁性体５４に吸着させている。この場合、磁性体５４は、磁石や金属板などの専用の部材に限ることなく、例えば、各スイッチ５１〜５３を支持する支持板などを金属板とすることにより、この支持板などを磁性体５４として磁石６６に吸着させてもよい。換言すれば、磁性体５４は、他の機能の部材と兼用されていてもよい。
【００６９】
また、磁性体５４を磁石とする場合には、磁石６６や金属板などを固定部６０に別途設けることなく、固定部６０自体を金属板などとすることにより、固定部６０を磁性体５４に吸着させてもよい。このように、各操作部１４ａ〜１４ｃ及びカバー１６を磁力でリモコン本体１２に吸着保持する構成は、上記に限ることなく、磁力による吸着保持が可能な任意の構成でよい。
【００７０】
図７（ａ）及び図７（ｂ）は、実施形態に係るリモコン装置の変形例を表す断面図である。  
なお、上記実施形態と機能・構成上実質的に同じものについては、同符号を付し、詳細な説明は省略する。  
図７（ａ）に表したように、リモコン装置１０ａでは、ハンガー７０の磁石７２が、各操作部１４ａ〜１４ｃ及びカバー１６のいずれか又は磁性体５４を介してリモコン本体１２を吸着保持する。この例において、ハンガー７０の磁石７２は、磁性体５４を介してリモコン本体１２を吸着保持する。ハンガー７０の磁石７２は、例えば、各操作部１４ａ〜１４ｃ及びカバー１６のいずれかの磁石６６を介してリモコン本体１２を吸着保持してもよい。
【００７１】
これにより、リモコン装置１０ａでは、ハンガー７０の磁石７２に吸着させるための磁性体７４をリモコン本体１２、操作部１４ａ〜１４ｃ、及びカバー１６に別途設ける必要がなく、リモコン装置１０ａの部品点数の削減を図ることができる。例えば、リモコン装置１０ａの製造コストをより抑制することができる。
【００７２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、リモコン装置１０、１０ａなどが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７３】
１０、１０ａ リモコン装置、  １２ リモコン本体、  １４ａ〜１４ｃ 操作部、  １６ カバー、  ２０ 停止ボタン、  ２１ おしり洗浄ボタン、  ２２ ビデ洗浄ボタン、  ２３ 乾燥ボタン、  ２４ ムーブボタン、  ２５ マッサージボタン、  ２６ ノズル洗浄ボタン、  ２７ａ、２７ｂ 水勢調整ボタン、  ２８ａ、２８ｂ ノズル位置調整ボタン、  ２９ａ、２９ｂ ユーザ切替ボタン、  ３０ 液晶パネル、  ３１ 操作ボタン、  ３２ 電源ボタン、  ３４ 発光素子、  ４１ 便座開閉ボタン、  ４２ 大洗浄ボタン、  ４３ 小洗浄ボタン、  ４４、４５ カバー、  ５１〜５３ スイッチ、  ５４ 磁性体、  ６０ 固定部、  ６１〜６３ 可動部、  ６６ 磁石、  ７０ ハンガー、  ７２ 磁石、  ７４ 磁性体
【図１】
2019062325.tif 000003
【図２】
2019062325.tif 000004
【図３】
2019062325.tif 000005
【図４】
2019062325.tif 000006
【図５】
2019062325.tif 000007
【図６】
2019062325.tif 000008
【図７】
2019062325.tif 000009